【事件の表示】
　特願２０１４−　９８７８６「ラジオコントロール送信機」拒絶査定不服審判事件〔平成２７年　５月１４日出願公開、特開２０１５−　９１２９４、請求項の数（６）〕について、次のとおり審決する。
【結　論】
　原査定を取り消す。
　本願の発明は、特許すべきものとする。
【理　由】
第１　手続の経緯　
　本願は平成２６年５月１２日（優先権主張日：平成２５年９月３０日）を出願日とする特許出願であって、平成２９年３月８日付けで拒絶理由が通知され、平成２９年４月２８日付けで手続補正がされ、同年６月９日（送達日：同年６月２０日）付けで拒絶査定（以下「原査定」という。）がされ、これに対して、同年８月２２日に拒絶査定不服審判が請求され、これと同時に手続補正がされ、当審で平成３０年４月１６日付けで拒絶理由を通知し、同年５月１０日付けで手続補正がされたものである。　
第２　原査定の概要
　原査定に係る拒絶理由の概要は、次のとおりである。
　本願の請求項１ないし６に係る発明は、引用文献１、２に記載された発明に基づいて、本願の請求項７に係る発明は、引用文献１、２、３に記載された発明に基づいて、本願の請求項８ないし１０に係る発明は、引用文献１、２、３、４に記載された発明に基づいて、それぞれ当業者であれば容易に発明をすることができたものであるから、特許法第２９条第２項の規定により、特許を受けることができない。
　
＜引用文献等一覧＞
１．特公平３−６５０５４号公報
２．特開平９−３５５８４号公報
３．特開２００１−６２１６０号公報
４．実願昭５９−７５２１５号（実開昭６０−１８７４３４号）のマイクロフィルム
　
第３　当審の拒絶理由（平成３０年４月１６日付）の概要
　当審において平成３０年４月１６日付で通知した拒絶理由（以下、「当審の拒絶理由」という。）の概要は以下のとおりである。（応対記録参照。）
１．請求項１の「機能するスイッチ」の「機能」の意味が不明であり、「スイッチに設定した内容をオン」（【００６４】）の意味なのか不明であるから、特許法第３６条第６項第２号に規定する要件を満たしていない。
２．請求項２の「擬似的なスイッチ」はオンの機能は持たないから、オンの機能をもつスイッチと同じ請求項で特定するのは、矛盾しており、特許法第３６条第６項第２号に規定する要件を満たしていない。
３．当初明細書、請求項には、「擬似的なスイッチ」固有の事項と説明されている、請求項６，７の前記発明特定事項は、「擬似的なスイッチ」以外のスイッチも対象とするのか否か明確ではないから、特許法第３６条第６項第２号に規定する要件を満たしていない。
第４　本願発明
　本願請求項１ないし６に係る発明（以下、それぞれ「本願発明１」ないし「本願発明６」という。）は、平成３０年５月１０日付けの手続補正で補正された特許請求の範囲の請求項１ないし６に記載された事項により特定される以下のとおりの発明である。
「【請求項１】
被操縦体の移動速度を制御する引き金形状のトリガーを備え、前記被操縦体に操縦信号を送信するラジオコントロール送信機において、
　前記トリガーの一部が当接した状態から更に前記トリガーの押下によって所定の変位が生じて内部接点がオンしたときに、前記被操縦体の特殊な動作を実行する信号を送信するスイッチを備えたことを特徴とするラジオコントロール送信機。
　【請求項２】
被操縦体の移動速度を制御する引き金形状のトリガーを備え、前記被操縦体に操縦信号を送信するラジオコントロール送信機において、
　前記トリガーが当接しているか操縦者が認識できる程度の弾性を有する弾性部材からなり、前記トリガーの操作により該トリガーの一部が前記弾性部材に当接して前記操縦者の手に伝わる負荷が変化する疑似的なスイッチを備え、
　前記トリガーの一部が前記弾性部材に当接して前記操縦者の手に伝わる負荷が変化したときに前記被操縦体の特殊な動作を実行する信号が送信されるように構成したことを特徴とするラジオコントロール送信機。
　【請求項３】
前記トリガーにおける前記弾性部材との当接面に突起を設けたことを特徴とする請求項２記載のラジオコントロール送信機。
　【請求項４】
前記弾性部材が筐体に着脱可能に設けられることを特徴とする請求項２または３に記載のラジオコントロール送信機。
　【請求項５】
前記トリガーはニュートラル位置を中心として二方向に操作可能で、前記スイッチは前記トリガーを一方の方向に操作したときに押下可能な位置に備えたことを特徴とする請求項１から４のいずれかに記載のラジオコントロール送信機。
　【請求項６】
前記トリガーは前記ラジオコントロール送信機に軸支されており、当該軸を中心として回動して、回動が所定量以上となると前記トリガーの一部が前記スイッチと当接することを特徴とする請求項１から５のいずれかに記載のラジオコントロール送信機。」
第５　引用文献
１．引用文献１について
　原査定の拒絶の理由に引用された、引用文献１（特公平３−６５０５４号公報）には、図面と共に次の事項が記載されている。（以下の下線は、いずれも当審で付した。以下同じ。）　
（１）「＜実施例＞
　この発明のラジコン送信機について、ラジコンカーに適用される場合の実施例を図面に基づいて以下に説明する。
　第１図はこの発明の実施例である
ラジコン送信機
　
ラジコン送信機は、略方形で送信機本体１の左右にステイツク２，３
が配設され、
送信機本体１内には
制御手段１４および送信回路
等が内蔵されていて、被操縦体であるラジコンカーに操縦信号を送信可能となって
　
ステイツク２，３は、ラジコンカーの進行速度および進行方向を制御する操作棒であって、左ステイツク２が速度制御用で上下動可能となっており、この左ステイツク２を左手の親指で上方に上げるとラジコンカーのサーボモータの回転数が増加してスピードアツプ
左ステイツク２を下げると後退しニユートラル位置において停止できるようになって
右ステイツク３は方向操作用で左右動可能となっており、この右ステイツク３を右手の親指で左右動させるとラジコンカーのステアリングが左右に向きを変えてラジコンカーの進行方向が変えられるようになっている
　前記の記載事項を総合すると、引用文献１には、次の発明（以下、「引用発明１」という。）が記載されていると認定できる。　
「ラジコン送信機は、略方形で送信機本体１の左右にステイツク２，３が配設され、送信機本体１内には制御手段１４および送信回路等が内蔵されていて、被操縦体であるラジコンカーに操縦信号を送信可能となっており、ステイツク２，３は、ラジコンカーの進行速度および進行方向を制御する操作棒であって、左ステイツク２が速度制御用で上下動可能となっており、この左ステイツク２を左手の親指で上方に上げるとラジコンカーのサーボモータの回転数が増加してスピードアツプし、左ステイツク２を下げると後退しニユートラル位置において停止できるようになっており、右ステイツク３は方向操作用で左右動可能となっており、この右ステイツク３を右手の親指で左右動させるとラジコンカーのステアリングが左右に向きを変えてラジコンカーの進行方向が変えられるようになっているラジコン送信機。」
２．引用文献２について
　原査定の拒絶の理由に引用された、引用文献２（特開平９−３５５８４号公報）には、図面と共に次の事項が記載されている。
　
（１）「【００１４】図１は一実施形態としての
車両用表示装置
車両用表示装置は入力装置１と映像装置２とをリード線５０で電気的に接続して構成され
【００１５】先ず、入力装置１について説明する。
【００１６】この
入力装置１は操作レバー３の上部に取り付けられた第１ジョイスティック４と、該操作レバー３の下部に設けられた第２ジョイスティック５とで構成され
【００１７】
第１ジョイスティック４の
【００１８】なお、図２の符号１８は操作孔１３からケース６内に塵埃等の異物の侵入を防ぐための柔軟性カバーである。
【００１９】図２の
ニュートラル位置から、操作棒１１を所望の方向に傾けると、操作棒１１は球状部１１ａを支点としてガイド溝９に沿って揺動し、スイッチ１０をオンに
又、操作棒１１を下に強く押すと球状部１１ａがプッシュスイッチ１４を押し、これをオンにすることができ
（２）「【００２４】このように構成された
第２ジョイスティック５は、操作レバー３をガイド溝２２に沿って揺動させると、摺動片２６もスライド抵抗２５に沿って摺動し、その抵抗値を可変させると共に、最終的にリミットスイッチ２８に接触してこれをオンさせ
【００２５】次に、映像装置２について説明する。
【００２６】映像装置２は正方体サイコロ状の表示部３０を備えている（図１参照）。この表示部３０の六面にはスイッチメニューの画面Ａ〜Ｆが三次元表示されるようになっている。前記画面Ａはスイッチ選択画面であり、前記第１ジョイスティック４で実際に実行できるスイッチの内容、例えばエアコンの画面であれば、温度、風向、風量等の内容がＡ０ないしＡ８に表示されるようになっている。画面Ｂ、Ｃは画面Ａと同様にスイッチ内容、例えばラジオ、ＣＤ、ナビゲーション等が表示されているが、直接第１ジョイスティック４では動作せず、後述するように前記第２ジョイスティック５を使用して画面Ａの位置に画像移動させる必要がある。画面Ｄ，ＥおよびＦは画面Ａと同様九個のスイッチがあるが、ここでは例えば、エアコン、ラジオ、ナビゲーション等の画面のスイッチ内容を絵や文字で表示するだけであり、スイッチ操作させるためには画面Ａに、又、具体的な内容を見る場合は画面Ｂ，Ｃに各々画像移動させる必要がある。このような表示部３０は、ＣＲＴ，ヘッドアップディスプレイ（ＨＵＤ），ホライズンのいずれでもよい。
【００２７】図９、図１０において、前記第１ジョイスティック４のプッシュスイッチ１４、スイッチ１０および第２ジョイスティック５のリミットスイッチ２８の出力は入出力制御装置（Ｉ／０）３１から中央処理ユニット（ＣＰＵ）３２に入力される。第２ジョイスティック５のスライド抵抗２５の出力はＡ／Ｄ変換装置（Ａ／Ｄ）３３でデジタル信号に変換されＣＰＵ３２に入力される。メモリ３４には第１ジョイスティック４、第２ジョイスティック５の内容が記憶され、映像装置２はＣＰＵ３２の出力で動作する。
【００２８】このように構成された車両用表示装置は次のように作動する。
【００２９】
初期状態は、表示部３０の画面Ａの中心Ａ０が他のＡ１〜Ａ８とは異なった色で区別され
第１ジョイスティック４の操作棒１１を傾けるとその方向にカーソルが移動
Ａ１にカーソルが移動
この位置で操作棒１１を下方に押しプッシュスイッチ１４をオンさせることにより、Ａ１の内容を実行でき
【００３０】
画面Ｂを選択するには、
入力装置１の操作レバー３を起立状態
から左に倒す
と、スライド抵抗２５の抵抗値が可変し、これに伴って第２ジョイスティック５の出力電圧値Ｖ２が
変化
この出力をＡ／Ｄ変換装置３３でＡ／Ｄ変換し、ＣＰＵ３２に入力し、ＣＰＵ３２はスライド抵抗２５の抵抗値（実際は電圧値Ｖ２）に応じて映像装置２の表示部３０の画面Ｂが左に画像移動
リミットスイッチ２８がオンになると、表示部３０の画像移動は止まり、画面Ｂが前の画面Ａの位置になり
中心のＢ０
にカーソルが移り点灯する
　前記の記載事項を総合すると、引用文献２には、次の発明（以下、「引用発明２」という。）が記載されていると認定できる。　
「車両用表示装置は入力装置１と映像装置２とをリード線５０で電気的に接続して構成され、入力装置１は操作レバー３の上部に取り付けられた第１ジョイスティック４と、該操作レバー３の下部に設けられた第２ジョイスティック５とで構成され、第１ジョイスティック４のニュートラル位置から、操作棒１１を所望の方向に傾けると、操作棒１１は球状部１１ａを支点としてガイド溝９に沿って揺動し、スイッチ１０をオンにし、又、操作棒１１を下に強く押すと球状部１１ａがプッシュスイッチ１４を押し、これをオンにすることができるものであり、第２ジョイスティック５は、操作レバー３をガイド溝２２に沿って揺動させると、摺動片２６もスライド抵抗２５に沿って摺動し、その抵抗値を可変させると共に、最終的にリミットスイッチ２８に接触してこれをオンさせることができるものであり、初期状態は、表示部３０の画面Ａの中心Ａ０が他のＡ１〜Ａ８とは異なった色で区別され、第１ジョイスティック４の操作棒１１を傾けるとその方向にカーソルが移動し、Ａ１にカーソルが移動しこの位置で操作棒１１を下方に押しプッシュスイッチ１４をオンさせることにより、Ａ１の内容を実行でき、画面Ｂを選択するには、入力装置１の操作レバー３を起立状態から左に倒すと、スライド抵抗２５の抵抗値が可変し、これに伴って第２ジョイスティック５の出力電圧値Ｖ２が変化し、この出力をＡ／Ｄ変換装置３３でＡ／Ｄ変換し、ＣＰＵ３２に入力し、ＣＰＵ３２はスライド抵抗２５の抵抗値（実際は電圧値Ｖ２）に応じて映像装置２の表示部３０の画面Ｂが左に画像移動し、リミットスイッチ２８がオンになると、表示部３０の画像移動は止まり、画面Ｂが前の画面Ａの位置になり中心のＢ０にカーソルが移り点灯する車両用表示装置。」
３．原査定の拒絶の理由に引用された、引用文献３（特開２００１−６２１６０号公報）には、図面と共に次の事項が記載されている。
「【００１６】
【発明の実施の形態】以下、この発明の実施形態にかかる
ラジコン送信機
ラジコン送信機１は、被制御機であるラジコンカーの速度をコントロールする
トリガ２
、上記ラジコンカーの進行方向をコントロールするステアリングホイール３、ラジコンカーへコントロール信号を送信するためのアンテナ４等を備えている
　前記の記載事項を総合すると、引用文献３には、次の発明（以下、「引用発明３」という。）が記載されていると認定できる。　
「ラジコン送信機１は、被制御機であるラジコンカーの速度をコントロールするトリガ２、上記ラジコンカーの進行方向をコントロールするステアリングホイール３、ラジコンカーへコントロール信号を送信するためのアンテナ４等を備えているラジコン送信機。」
４．原査定の拒絶の理由に引用された、引用文献４（実願昭５９−７５２１５号（実開昭６０−１８７４３４号）のマイクロフィルム）には、図面と共に次の事項が記載されている。
（１）「第１図は本考案に係る
多接点レバースイツチ
多接点レバースイツチは
前後左右、斜前後左右に傾動自在にかつ回動自在に操作することのできる操作レバー４と、この操作レバー４を傾動操作することによつて操作レバー４のシヤフトに挿着された円筒体４ｂによりアクチユエータ６ｂが押圧され選択的に開閉制御される４個のリミツトスイツチ６とによつて構成され
操作レバー４の先端部４ａは
操作レバー４のシヤフトを兼ねる内部電極４１と、この内部電極４１に絶縁ワツシヤ４２を挾んで嵌装された円筒状の外部電極４３と、内部電極４１と外部電極４３との間に介在し圧力を加えることによつて抵抗が減少する導電性弾性ゴム等よりなる感圧体４４とにより形成され、
内部電極４１の先端部と外部電極４３の外周とは、感圧体４４の抵抗の変化を検出して電圧のオン・オフに変換して端子７ｃより出力するボルテージコンパレータ回路
に
接続され
　以下、このように構成された本考案の多接点レバースイツチの動作を説明する。第６図は操作レバー４を傾動操作した時の状態を示す一部破断正面図であり、
操作レバー４を傾動操作すると
各リミツトスイツチ６は操作レバー４の傾動方向に応じてオンし、
その信号が入力され
さらに、操作レバー４に圧力を加えると
感圧体４４にも圧力が加わ
操作レバー４に加えた圧力に応じて感圧体４４の抵抗値が減少し、
感圧体４４の抵抗値に応じた電圧が所定電圧を越えると所定圧力を越えたとみなされ、
電圧のオン信号として
入力される
　前記の記載事項を総合すると、引用文献４には、次の発明（以下、「引用発明４」という。）が記載されていると認定できる。　
「多接点レバースイツチは、前後左右、斜前後左右に傾動自在にかつ回動自在に操作することのできる操作レバー４と、この操作レバー４を傾動操作することによつて操作レバー４のシヤフトに挿着された円筒体４ｂによりアクチユエータ６ｂが押圧され選択的に開閉制御される４個のリミツトスイツチ６とによつて構成され、操作レバー４の先端部４ａは、操作レバー４のシヤフトを兼ねる内部電極４１と、この内部電極４１に絶縁ワツシヤ４２を挾んで嵌装された円筒状の外部電極４３と、内部電極４１と外部電極４３との間に介在し圧力を加えることによつて抵抗が減少する導電性弾性ゴム等よりなる感圧体４４とにより形成され、内部電極４１の先端部と外部電極４３の外周とは、感圧体４４の抵抗の変化を検出して電圧のオン・オフに変換して端子７ｃより出力するボルテージコンパレータ回路７に接続され、操作レバー４を傾動操作すると、各リミツトスイツチ６は操作レバー４の傾動方向に応じてオンし、その信号が入力され、さらに、操作レバー４に圧力を加えると感圧体４４にも圧力が加わり、操作レバー４に加えた圧力に応じて感圧体４４の抵抗値が減少し、感圧体４４の抵抗値に応じた電圧が所定電圧を越えると所定圧力を越えたとみなされ、電圧のオン信号として入力される多接点レバースイツチ。」
第６　対比・判断　
１．本願発明１について　
（１）対比　
　本願発明１と引用発明１とを対比すると、引用発明１の「ラジコン送信機」は、本願発明１の「ラジオコントロール送信機」に相当し、以下同様に「ラジコンカー」は「被操縦体」に、「操縦信号」は「操縦信号」に、それぞれ相当する。
　また、引用発明１は「この左ステイツク２を左手の親指で上方に上げるとラジコンカーのサーボモータの回転数が増加してスピードアツプし、左ステイツク２を下げると後退しニユートラル位置において停止できるようになって」いるから、引用発明１は本願発明１と同様に「被操縦体の移動速度を制御」しているといえる。
                   
　したがって、両者は、　
　
　「被操縦体の移動速度を制御し、前記被操縦体に操縦信号を送信するラジオコントロール送信機」の点で一致し、以下の点で相違している。　
相違点１：「被操縦体の移動速度を制御する」事項に関して、本願発明１が「引き金形状のトリガーを備え」ているのに対して、引用発明１の「左スティック２」の形状は、「引き金形状」とはいえない点。
相違点２：本願発明１には、「トリガーの一部が当接した状態から更に前記トリガーの押下によって所定の変位が生じて内部接点がオンしたときに、前記被操縦体の特殊な動作を実行する信号を送信するスイッチ」が備えられているのに対して、引用発明１には、備えられていない点。
　
（２）判断　
　次に、前記相違点２についてまず検討する。
ア．本願発明１の発明特定事項である「被操縦体の移動速度を制御する引き金形状のトリガー・・・前記トリガーの一部が当接した状態から更に前記トリガーの押下によって所定の変位が生じて内部接点がオンしたときに、前記被操縦体の特殊な動作を実行する信号を送信するスイッチを備えた」ことに対して、引用発明２の「第１ジョイスティック４」と、「第２ジョイスティック５」は、それぞれ「第１ジョイスティック４のニュートラル位置から、操作棒１１を所望の方向に傾けると、操作棒１１は球状部１１ａを支点としてガイド溝９に沿って揺動し、スイッチ１０をオンにし、又、操作棒１１を下に強く押すと球状部１１ａがプッシュスイッチ１４を押し、これをオンにすることができるもの」、「第２ジョイスティック５は、操作レバー３をガイド溝２２に沿って揺動させると、摺動片２６もスライド抵抗２５に沿って摺動し、その抵抗値を可変させると共に、最終的にリミットスイッチ２８に接触してこれをオンさせることができるもの」であるが、前記「プッシュスイッチ１４」、「リミットスイッチ２８」は、それぞれ「プッシュスイッチ１４をオンさせることにより、Ａ１の内容を実行でき」、「リミットスイッチ２８がオンになると、表示部３０の画像移動は止まり、画面Ｂが前の画面Ａの位置になり中心のＢ０にカーソルが移り点灯する」ものであって、前記相違点２に係る本願発明１の発明特定事項である「スイッチ」のように「被操縦体の特殊な動作を実行する信号を送信する」ものではない。
イ．引用発明３の「トリガ２」は、前記相違点２に係る本願発明１の発明特定事項である「トリガー」のように「被操縦体の特殊な動作を実行する信号を送信するスイッチを備え」るものではない。
ウ．本願発明１の発明特定事項である「被操縦体の移動速度を制御する引き金形状のトリガー・・・前記トリガーの一部が当接した状態から更に前記トリガーの押下によって所定の変位が生じて内部接点がオンしたときに、前記被操縦体の特殊な動作を実行する信号を送信するスイッチを備えた」ことに対して、引用発明４の「多接点レバースイツチ」の「操作レバー４を傾動操作すると、各リミツトスイツチ６は操作レバー４の傾動方向に応じてオンし、」「さらに、操作レバー４に圧力を加えると・・・電圧のオン信号として入力される」ものであり、前記「操作レバー４に圧力を加えると・・・電圧のオン信号として入力される」ことは、スイッチの機能をもつといえるが、該スイッチの機能がオンすれば「電圧のオン信号として入力される」ものであって、前記相違点２に係る本願発明１の発明特定事項である「スイッチ」のように「被操縦体の特殊な動作を実行する信号を送信する」ものではない。
　よって、引用発明２、３、４にも、前記相違点２に係る本願発明１の発明特定事項は開示されていないし、これを示唆するものもない。
　そして、本願発明１は前記相違点２に係る発明特定事項を備えることによって、「操作部（引き金形状のトリガー）と連動してスイッチを操作することができるので、競技中等の細かな操作が要求される場面でもスイッチに割り当てた機能を容易に実現することができる。」（段落【００１８】参照。）という作用効果を奏するものである。
　したがって、本願発明１は、引用発明１ないし４に基づいて、当業者が容易に発明をすることができたものとはいえない。　
２．本願発明２について
　　
（１）対比
　本願発明２と引用発明１とを対比すると、引用発明１の「ラジコン送信機」は、本願発明１の「ラジオコントロール送信機」に相当し、以下同様に「ラジコンカー」は「被操縦体」に、「操縦信号」は「操縦信号」に、それぞれ相当する。
　また、引用発明１は「この左スティック２を左手の親指で上方に上げるとラジコンカーのサーボモータの回転数が増加してスピードアップし、一方、左スティック２を下げると後退しニュートラル位置において停止できるようになって」いるから、引用発明１は本願発明１と同様に「被操縦体の移動速度を制御」しているといえる。
したがって、両者は、　
　
　「被操縦体の移動速度を制御し、前記被操縦体に操縦信号を送信するラジオコントロール送信機」の点で一致し、以下の点で相違している。　
相違点１：本願発明１と同様。
相違点３：本願発明２の「前記トリガーが当接しているか操縦者が認識できる程度の弾性を有する弾性部材からなり、前記トリガーの操作により該トリガーの一部が前記弾性部材に当接して前記操縦者の手に伝わる負荷が変化する疑似的なスイッチを備え、
　前記トリガーの一部が前記弾性部材に当接して前記操縦者の手に伝わる負荷が変化したときに前記被操縦体の特殊な動作を実行する信号が送信されるように構成した」ことが、引用発明１には備えられていない点。
　
（２）判断　
　
　次に、前記相違点３についてまず検討する。
　引用発明２、３、４にも、前記相違点３に係る本願発明２の発明特定事項である「疑似的なスイッチ」は開示されていないし、これを示唆するものもない。
　そして、本願発明２は前記相違点３に係る発明特定事項を備えることによって、「このように、実施例８および実施例９の擬似的スイッチ２６，３６ａ，３６ｂを用いた構成によれば、電子スイッチや配線の必要が無く、メカニカルな機構のみで構成でき、構成の簡素化を図ることができる。また、操作部材（トリガー、スティック）の操作時に直接手に伝わる負荷の変化により、例えば燃料を重視した走行などでフルスロットルを感触的に確認することができる。」（段落【００７９】】参照。）という作用効果を奏するものである。
　したがって、本願発明２は、引用発明１ないし４に基づいて、当業者が容易に発明をすることができたものとはいえない。　
２．本願発明３ないし６について　
　前記「第４」のとおり、本願発明３ないし６は、それぞれ本願発明１、２をさらに限定するものであるから、本願発明１、２についてと同様の理由で、引用発明１ないし４に基づいて、当業者が容易に発明をすることができたものとはいえない。　
　　　　　　　　　　　　　　　　　　
第７　原査定について
　前記「第６」で検討したとおり、本願発明１ないし６は、引用発明１、２、３、４に基づいて、当業者が容易に発明をすることができたものではない。　
　したがって、原査定の理由を維持することはできない。
第８　当審拒絶理由通知について
１．平成３０年５月１０日付けで手続補正により、請求項１の「機能するスイッチ」は、「スイッチ」と補正された。
　よって、請求項１の「機能するスイッチ」の「機能」の意味が明確ではないとの拒絶理由は、前記手続補正前の請求項１の「機能するスイッチ」から「機能する」が削除されて「スイッチ」と補正されたことにより解消された。　
２．平成３０年５月１０日付けで手続補正により、「擬似的なスイッチ」を発明特定事項とする請求項２は、請求項１を引用する従属項から、独立項に補正された。
　よって、「擬似的なスイッチ」はオンの機能は持たないから、オンの機能をもつスイッチと同じ請求項で特定するのは、矛盾しているとの拒絶理由は、前記の補正により解消された。　
３．平成３０年５月１０日付けの手続補正により、「トリガーにおける前記弾性部材との当接面に突起を設けたこと」、「弾性部材が筐体に着脱可能に設けられること」をそれぞれ発明特定事項とする拒絶査定時の請求項６、７（平成２９年８月２２日付け手続補正書）は、「擬似的なスイッチ」を発明特定事項とする独立請求項である請求項２を引用する請求項３、４にそれぞれ補正された。
　よって、当初明細書、請求項には、「擬似的なスイッチ」固有の事項と説明されている、請求項６，７の前記発明特定事項は、「擬似的なスイッチ」以外のスイッチも対象とするのか否か明確ではないとの拒絶理由は解消された。
第９　むすび　
　以上のとおりであるから、本願発明１ないし６は、引用発明１ないし４に基づいて、当業者が容易に発明をすることができたものではない。
　したがって、原査定の理由によっては、本願を拒絶することはできない。
　また、他に本願を拒絶すべき理由を発見しない。　
　よって、結論のとおり審決する。